(57)【特許請求の範囲】
【請求項１】
第１アンテナに接続される共通端子、第１端子、及び第２端子を備える第１ダイプレクサと、
前記第１ダイプレクサの前記第１端子に共通端子が接続され、第１バンドの送信信号及び受信信号を通過させる第１デュプレクサと、
前記第１ダイプレクサの前記第２端子に共通端子が接続され、第１バンドより周波数帯域が高い第２バンドの送信信号及び受信信号を通過させる第２デュプレクサと、
前記第１ダイプレクサの前記共通端子が接続された第１端子と、第２端子と、を備え、前記第１端子及び前記第２端子の少なくとも一方を選択して前記第１アンテナに接続する第１スイッチと、
前記第１スイッチの前記第２端子に接続され、前記第１バンドと前記第２バンドとの間の周波数帯域を有する第３バンドの受信信号を通過させる第１受信フィルタと、
前記第１アンテナと異なる第２アンテナに接続される共通端子を備え、前記第３バンドの送信信号及び受信信号を通過させる第３デュプレクサと、
前記第３デュプレクサの前記共通端子が接続された第１端子と、第２端子と、を備え、前記第１端子及び前記第２端子の少なくとも一方を選択して前記第２アンテナに接続する第２スイッチと、
前記第２スイッチの前記第２端子に接続された共通端子、第１端子、及び第２端子を備える第２ダイプレクサと、
前記第２ダイプレクサの前記第１端子に接続され、前記第１バンドの受信信号を通過させる第２受信フィルタと、
前記第２ダイプレクサの前記第２端子に接続され、前記第２バンドの受信信号を通過させる第３受信フィルタと、を備えることを特徴とするモジュール。
【請求項２】
前記第１スイッチの前記第２端子には前記第３バンドの送信信号を通過させる送信フィルタが接続されてなく、前記第２ダイプレクサの前記第１端子には前記第１バンドの送信信号を通過させる送信フィルタが接続されてなく、前記第２ダイプレクサの前記第２端子には前記第２バンドの送信信号を通過させる送信フィルタが接続されていないことを特徴とする請求項１記載のモジュール。
【請求項３】
前記第１バンドの信号の送信と前記第２バンドの信号の送信又は前記第１バンドの信号の受信と前記第２バンドの信号の受信が同時に行われる場合、前記第１スイッチは前記第１スイッチの前記第１端子を選択して前記第１アンテナに接続し且つ前記第１スイッチの前記第２端子は選択せず、前記第２スイッチは前記第２スイッチの前記第２端子を選択して前記第２アンテナに接続し且つ前記第２スイッチの前記第１端子は選択しないことを特徴とする請求項１または２記載のモジュール。
【請求項４】
前記第１バンドの信号の送信と前記第３バンドの信号の送信又は第１バンドの信号の受信と前記第３バンドの信号の受信が同時に行われる場合、又は、前記第２バンドの信号の送信と前記第３バンドの信号の送信又は前記第２バンドの信号の受信と前記第３バンドの信号の受信が同時に行われる場合、前記第１スイッチは前記第１スイッチの前記第１端子と前記第２端子との両方を選択して前記第１アンテナに接続し、前記第２スイッチは前記第２スイッチの前記第１端子と前記第２端子との両方を選択して前記第２アンテナに接続することを特徴とする請求項１から３のいずれか一項記載のモジュール。
【請求項５】
前記第１バンド、前記第２バンド、及び前記第３バンドのうち前記第１バンドの信号の送信及び受信のみ又は前記第２バンドの信号の送信及び受信のみが行われる場合、前記第１スイッチは前記第１スイッチの前記第１端子を選択して前記第１アンテナに接続し且つ前記第１スイッチの前記第２端子は選択せず、前記第２スイッチは前記第２スイッチの前記第２端子を選択して前記第２アンテナに接続し且つ前記第２スイッチの前記第１端子は選択せず、
前記第１バンド、前記第２バンド、及び前記第３バンドのうち前記第３バンドの信号の送信及び受信のみが行われる場合、前記第１スイッチは前記第１スイッチの前記第２端子を選択して前記第１アンテナに接続し且つ前記第１スイッチの前記第１端子は選択せず、前記第２スイッチは前記第２スイッチの前記第１端子を選択して前記第２アンテナに接続し且つ前記第２スイッチの前記第２端子は選択しないことを特徴とする請求項１から４のいずれか一項記載のモジュール。
【請求項６】
前記第１スイッチの前記第１端子と前記第１ダイプレクサの前記共通端子との間に接続された第１位相器と、
前記第１スイッチの前記第２端子と前記第３受信フィルタとの間に接続された第２位相器と、
前記第２スイッチの前記第１端子と前記第３デュプレクサの前記共通端子との間に接続された第３位相器と、
前記第２スイッチの前記第２端子と前記第２ダイプレクサの前記共通端子との間に接続された第４位相器と、を備えることを特徴とする請求項１から５のいずれか一項記載のモジュール。
【請求項７】
前記第１スイッチが前記第１スイッチの前記第１端子と前記第２端子との両方を選択して前記第１アンテナに接続した場合に、前記第１位相器は、前記第３バンドの周波数帯域において、前記第１スイッチから見て前記第１デュプレクサ及び前記第２デュプレクサが開放されるようなインピーダンスを有し、且つ、前記第２位相器は、前記第１バンド及び前記第２バンドの周波数帯域において、前記第１スイッチから見て前記第３受信フィルタが開放されるようなインピーダンスを有し、
前記第２スイッチが前記第２スイッチの前記第１端子と前記第２端子との両方を選択して前記第２アンテナに接続した場合に、前記第３位相器は、前記第１バンド及び前記第２バンドの周波数帯域において、前記第２スイッチから見て前記第３デュプレクサが開放されるようなインピーダンスを有し、且つ、前記第４位相器は、前記第３バンドの周波数帯域において、前記第２スイッチから見て前記第１受信フィルタ及び前記第２受信フィルタが開放されるようなインピーダンスを有することを特徴とする請求項６記載のモジュール。
【請求項８】
前記第１バンド、前記第２バンド、及び前記第３バンドは、１．７ＧＨｚ以上の周波数帯域であることを特徴とする請求項１から７のいずれか一項記載のモジュール。
【請求項９】
前記第１バンドはバンド３、前記第２バンドはバンド７、前記第３バンドはバンド１であることを特徴とする請求項１から８のいずれか一項記載のモジュール。
【発明の詳細な説明】
【技術分野】
【０００１】
本発明は、モジュールに関する。
【背景技術】
【０００２】
携帯電話などの通信機器は、インターネットへの接続など、機能の拡大が進んでいる。通信データの増大に対応するため、例えばＬＴＥ（Long Term Evolution）−Ａｄｖａｎｃｅｄなどの技術開発が進められている。ＬＴＥ−Ａｄｖａｎｃｅｄでは、高スループット化のため、キャリアアグリゲーション（ＣＡ：Carrier Aggregation）技術が用いられる。
【０００３】
キャリアアグリゲーションにおいて、複数周波数帯で同時に信号を送受信する場合でも、他の経路への信号漏洩を防ぐ技術が提案されている（例えば、特許文献１）。また、ダイバーシティとキャリアアグリゲーションの両通信方式に対応可能な技術が提案されている（例えば、特許文献２）。
【先行技術文献】
【特許文献】
【０００４】
【特許文献１】国際公開第２０１４／０１０５７５号
【特許文献２】特開２０１５−２３９５号公報
【発明の概要】
【発明が解決しようとする課題】
【０００５】
しかしながら、複数の周波数帯域の信号が同時に送受信されるようなモジュールでは、損失の点で改善の余地が残されている。本発明は、このような課題に鑑みなされたものであり、損失を低減することが可能なモジュールを提供することを目的とする。
【課題を解決するための手段】
【０００６】
本発明は、第１アンテナに接続される共通端子、第１端子、及び第２端子を備える第１ダイプレクサと、前記第１ダイプレクサの前記第１端子に共通端子が接続され、第１バンドの送信信号及び受信信号を通過させる第１デュプレクサと、前記第１ダイプレクサの前記第２端子に共通端子が接続され、第１バンドより周波数帯域が高い第２バンドの送信信号及び受信信号を通過させる第２デュプレクサと、前記第１ダイプレクサの前記共通端子が接続された第１端子と、第２端子と、を備え、前記第１端子及び前記第２端子の少なくとも一方を選択して前記第１アンテナに接続する第１スイッチと、前記第１スイッチの前記第２端子に接続され、前記第１バンドと前記第２バンドとの間の周波数帯域を有する第３バンドの受信信号を通過させる第１受信フィルタと、前記第１アンテナと異なる第２アンテナに接続される共通端子を備え、前記第３バンドの送信信号及び受信信号を通過させる第３デュプレクサと、前記第３デュプレクサの前記共通端子が接続された第１端子と、第２端子と、を備え、前記第１端子及び前記第２端子の少なくとも一方を選択して前記第２アンテナに接続する第２スイッチと、前記第２スイッチの前記第２端子に接続された共通端子、第１端子、及び第２端子を備える第２ダイプレクサと、前記第２ダイプレクサの前記第１端子に接続され、前記第１バンドの受信信号を通過させる第２受信フィルタと、前記第２ダイプレクサの前記第２端子に接続され、前記第２バンドの受信信号を通過させる第３受信フィルタと、を備えることを特徴とするモジュールである。
【０００７】
上記構成において、前記第１スイッチの前記第２端子には前記第３バンドの送信信号を通過させる送信フィルタが接続されてなく、前記第２ダイプレクサの前記第１端子には前記第１バンドの送信信号を通過させる送信フィルタが接続されてなく、前記第２ダイプレクサの前記第２端子には前記第２バンドの送信信号を通過させる送信フィルタが接続されていない構成とすることができる。
【０００８】
上記構成において、前記第１バンドの信号の送信と前記第２バンドの信号の送信又は前記第１バンドの信号の受信と前記第２バンドの信号の受信が同時に行われる場合、前記第１スイッチは前記第１スイッチの前記第１端子を選択して前記第１アンテナに接続し且つ前記第１スイッチの前記第２端子は選択せず、前記第２スイッチは前記第２スイッチの前記第２端子を選択して前記第２アンテナに接続し且つ前記第２スイッチの前記第１端子は選択しない構成とすることができる。
【０００９】
上記構成において、前記第１バンドの信号の送信と前記第３バンドの信号の送信又は第１バンドの信号の受信と前記第３バンドの信号の受信が同時に行われる場合、又は、前記第２バンドの信号の送信と前記第３バンドの信号の送信又は前記第２バンドの信号の受信と前記第３バンドの信号の受信が同時に行われる場合、前記第１スイッチは前記第１スイッチの前記第１端子と前記第２端子との両方を選択して前記第１アンテナに接続し、前記第２スイッチは前記第２スイッチの前記第１端子と前記第２端子との両方を選択して前記第２アンテナに接続する構成とすることができる。
【００１０】
上記構成において、前記第１バンド、前記第２バンド、及び前記第３バンドのうち前記第１バンドの信号の送信及び受信のみ又は前記第２バンドの信号の送信及び受信のみが行われる場合、前記第１スイッチは前記第１スイッチの前記第１端子を選択して前記第１アンテナに接続し且つ前記第１スイッチの前記第２端子は選択せず、前記第２スイッチは前記第２スイッチの前記第２端子を選択して前記第２アンテナに接続し且つ前記第２スイッチの前記第１端子は選択せず、前記第１バンド、前記第２バンド、及び前記第３バンドのうち前記第３バンドの信号の送信及び受信のみが行われる場合、前記第１スイッチは前記第１スイッチの前記第２端子を選択して前記第１アンテナに接続し且つ前記第１スイッチの前記第１端子は選択せず、前記第２スイッチは前記第２スイッチの前記第１端子を選択して前記第２アンテナに接続し且つ前記第２スイッチの前記第２端子は選択しない構成とすることができる。
【００１１】
上記構成において、前記第１スイッチの前記第１端子と前記第１ダイプレクサの前記共通端子との間に接続された第１位相器と、前記第１スイッチの前記第２端子と前記第３受信フィルタとの間に接続された第２位相器と、前記第２スイッチの前記第１端子と前記第３デュプレクサの前記共通端子との間に接続された第３位相器と、前記第２スイッチの前記第２端子と前記第２ダイプレクサの前記共通端子との間に接続された第４位相器と、を備える構成とすることができる。
【００１２】
前記第１スイッチが前記第１スイッチの前記第１端子と前記第２端子との両方を選択して前記第１アンテナに接続した場合に、前記第１位相器は、前記第３バンドの周波数帯域において、前記第１スイッチから見て前記第１デュプレクサ及び前記第２デュプレクサが開放されるようなインピーダンスを有し、且つ、前記第２位相器は、前記第１バンド及び前記第２バンドの周波数帯域において、前記第１スイッチから見て前記第３受信フィルタが開放されるようなインピーダンスを有し、前記第２スイッチが前記第２スイッチの前記第１端子と前記第２端子との両方を選択して前記第２アンテナに接続した場合に、前記第３位相器は、前記第１バンド及び前記第２バンドの周波数帯域において、前記第２スイッチから見て前記第３デュプレクサが開放されるようなインピーダンスを有し、且つ、前記第４位相器は、前記第３バンドの周波数帯域において、前記第２スイッチから見て前記第１受信フィルタ及び前記第２受信フィルタが開放されるようなインピーダンスを有する構成とすることができる。
【００１３】
上記構成において、前記第１バンド、前記第２バンド、及び前記第３バンドは、１．７ＧＨｚ以上の周波数帯域である構成とすることができる。
【００１４】
上記構成において、前記第１バンドはバンド３、前記第２バンドはバンド７、前記第３バンドはバンド１である構成とすることができる。
【発明の効果】
【００１５】
本発明によれば、損失を低減することができる。
【図面の簡単な説明】
【００１６】
【図１】図１は、実施例１に係るモジュールを含むシステムを示す図である。
【図２】図２（ａ）は、ダイプレクサの回路構成の一例を示す図、図２（ｂ）は、ダイプレクサの周波数特性を示す図である。
【図３】図３（ａ）及び図３（ｂ）は、ダイプレクサでの損失が低減する理由を説明するための図である。
【図４】図４は、実施例２に係るモジュールを含むシステムを示す図である。
【図５】図５（ａ）及び図５（ｂ）は、位相器の回路構成の一例を示す図である。
【発明を実施するための形態】
【００１７】
以下、図面を参照して、本発明の実施例について説明する。
【実施例１】
【００１８】
図１は、実施例１に係るモジュール１００を含むシステム５００を示す図である。図１のように、システム５００は、モジュール１００、第１アンテナ８０、第２アンテナ８２、及び集積回路８４を備える。なお、以下において、第１アンテナ８０に接続された回路を第１送受信回路１０とし、第２アンテナ８２に接続された回路を第２送受信回路５０とする。
【００１９】
第１送受信回路１０は、ダイプレクサ１２、デュプレクサ１４ａ、１４ｂ、パワーアンプ（ＰＡ：Power Amplifier）２０ａ、２０ｂ、及びローノイズアンプ（ＬＮＡ：Low Noise Amplifier）２２ａ、２２ｂを含む。ダイプレクサ１２及びデュプレクサ１４ａ、１４ｂは、モジュール１００に搭載されている。ＰＡ２０ａ、２０ｂ及びＬＮＡ２２ａ、２２ｂは、集積回路８４に搭載されている。
【００２０】
ダイプレクサ１２は、ハイパスフィルタ（ＨＰＦ：High Pass Filter）１２ａとローパスフィルタ（ＬＰＦ：Low Pass Filter）１２ｂとを備える。ＨＰＦ１２ａは、第１アンテナ８０に接続される共通端子Ｔ４と端子Ｔ６との間に接続されている。ＬＰＦ１２ｂは、共通端子Ｔ４と端子Ｔ５との間に接続されている。
【００２１】
図２（ａ）は、ダイプレクサ１２の回路構成の一例を示す図、図２（ｂ）は、ダイプレクサ１２の周波数特性を示す図である。図２（ａ）のように、ＨＰＦ１２ａは、共通端子Ｔ４と端子Ｔ６との間に直列に接続されたキャパシタＣ１ａと、キャパシタＣ１ａと端子Ｔ６との間のノードＮ１とグランドとの間に直列に接続されたインダクタＬ１及びキャパシタＣ１ｂと、を含む。ＬＰＦ１２ｂは、共通端子Ｔ４と端子Ｔ５との間に直列に接続されたインダクタＬ２ａと、インダクタＬ２ａと端子Ｔ５との間のノードＮ２とグランドとの間に直列に接続されたインダクタＬ２ｂ及びキャパシタＣ２と、を含む。
【００２２】
図２（ｂ）のように、ＨＰＦ１２ａは、低周波数で減衰量が大きく、高周波数では減衰量が小さい。したがって、ＨＰＦ１２ａは、高周波数の信号を通過させ、低周波数の信号を抑圧する。一方、ＬＰＦ１２ｂは、高周波数で減衰量が大きく、低周波数で減衰量が小さい。したがって、ＬＰＦ１２ｂは、低周波数の信号を通過させ、高周波数の信号を抑圧する。
【００２３】
図１のように、デュプレクサ１４ａは、送信フィルタ１６ａと受信フィルタ１８ａとを備える。デュプレクサ１４ｂは、送信フィルタ１６ｂと受信フィルタ１８ｂとを備える。送信フィルタ１６ａ、１６ｂ及び受信フィルタ１８ａ、１８ｂは、例えば弾性表面波（ＳＡＷ：Surface Acoustic Wave）フィルタなどのバンドパスフィルタである。デュプレクサ１４ａにおいて、送信フィルタ１６ａは共通端子Ｔ１ａと送信端子Ｔ２ａとの間に接続され、受信フィルタ１８ａは共通端子Ｔ１ａと受信端子Ｔ３ａとの間に接続されている。デュプレクサ１４ｂにおいて、送信フィルタ１６ｂは共通端子Ｔ１ｂと送信端子Ｔ２ｂとの間に接続され、受信フィルタ１８ｂは共通端子Ｔ１ｂと受信端子Ｔ３ｂとの間の接続されている。デュプレクサ１４ａの共通端子Ｔ１ａは、ダイプレクサ１２の端子Ｔ５に接続され、デュプレクサ１４ｂの共通端子Ｔ１ｂは、ダイプレクサ１２の端子Ｔ６に接続されている。したがって、ダイプレクサ１２及びデュプレクサ１４ａ、１４ｂによってクワッドプレクサが形成されている。
【００２４】
デュプレクサ１４ａ、１４ｂの送信端子Ｔ２ａ、Ｔ２ｂは、ＰＡ２０ａ、２０ｂに接続されている。デュプレクサ１４ａ、１４ｂの受信端子Ｔ３ａ、Ｔ３ｂは、ＬＮＡ２２ａ、２２ｂに接続されている。
【００２５】
ＰＡ２０ａ、２０ｂは、送信信号を増幅する。送信フィルタ１６ａ、１６ｂは、ＰＡ２０ａ、２０ｂで増幅された送信信号のうち送信帯域の信号を共通端子Ｔ１ａ、Ｔ１ｂに通過させ、送信帯域以外の信号を抑圧する。受信フィルタ１８ａ、１８ｂは、共通端子Ｔ１ａ、Ｔ１ｂに出力された受信信号のうち受信帯域の信号を受信端子Ｔ３ａ、Ｔ３ｂに通過させ、受信帯域以外の信号を抑圧する。ＬＮＡ２２ａ、２２ｂは、受信フィルタ１８ａ、１８ｂから出力された信号を増幅する。
【００２６】
デュプレクサ１４ａ、１４ｂは、各通信系に対応する。例えば、デュプレクサ１４ａは、バンド３（送信帯域：１７１０ＭＨｚ〜１７８５ＭＨｚ、受信帯域：１８０５ＭＨｚ〜１８８０ＭＨｚ）の送信信号及び受信信号を通過させる。デュプレクサ１４ｂは、バンド７（送信帯域：２５００ＭＨｚ〜２５７０ＭＨｚ、受信帯域：２６２０ＭＨｚ〜２６９０ＭＨｚ）の送信信号及び受信信号を通過させる。
【００２７】
このように、デュプレクサ１４ｂは、デュプレクサ１４ａが通過させる送信信号及び受信信号よりも高い周波数帯域の送信信号及び受信信号を通過させる。したがって、ダイプレクサ１２を構成するＨＰＦ１２ａは、デュプレクサ１４ｂが通過させる送信信号及び受信信号を通過させ、デュプレクサ１４ａが通過させる送信信号及び受信信号を抑圧する。ＬＰＦ１２ｂは、デュプレクサ１４ａが通過させる送信信号及び受信信号を通過させ、デュプレクサ１４ｂが通過させる送信信号及び受信信号を抑圧する。
【００２８】
第２送受信回路５０は、デュプレクサ５４、ＰＡ６０、及びＬＮＡ６２を含む。デュプレクサ５４は、モジュール１００に搭載されている。ＰＡ６０及びＬＮＡ６２は、集積回路８４に搭載されている。デュプレクサ５４は、送信フィルタ５６と受信フィルタ５８とを備える。送信フィルタ５６及び受信フィルタ５８は、例えばＳＡＷフィルタなどのバンドパスフィルタである。送信フィルタ５６は共通端子Ｔ２１と送信端子Ｔ２２との間に接続され、受信フィルタ５８は共通端子Ｔ２１と受信端子Ｔ２３との間に接続されている。デュプレクサ５４の共通端子Ｔ２１は第２アンテナ８２に接続され、送信端子Ｔ２２はＰＡ６０に接続され、受信端子Ｔ２３はＬＮＡ６２に接続されている。
【００２９】
送信フィルタ５６は、ＰＡ６０で増幅された送信信号のうち送信帯域の信号を共通端子Ｔ２１に通過させ、送信帯域以外の信号を抑圧する。受信フィルタ５８は、共通端子Ｔ２１に出力された受信信号のうち受信帯域の信号を受信端子Ｔ２３に通過させ、受信帯域以外の信号を抑圧する。ＬＮＡ６２は、受信フィルタ５８から出力された信号を増幅する。
【００３０】
デュプレクサ５４は、各通信系に対応する。例えば、デュプレクサ５４は、バンド１（送信帯域：１９２０ＭＨｚ〜１９８０ＭＨｚ、受信帯域：２１１０ＭＨｚ〜２１７０ＭＨｚ）の送信信号及び受信信号を通過させる。このように、デュプレクサ５４は、デュプレクサ１４ａが通過させる送信信号及び受信信号の周波数帯域とデュプレクサ１４ｂが通過させる送信信号及び受信信号の周波数帯域との間の周波数帯域の送信信号及び受信信号を通過させる。
【００３１】
実施例１によれば、図１のように、第１アンテナ８０に、ダイプレクサ１２を介して、バンド３（第１バンド）の送信信号及び受信信号を通過させるデュプレクサ１４ａと、バンド３よりも周波数帯域の高いバンド７（第２バンド）の送信信号及び受信信号を通過させるデュプレクサ１４ｂと、が接続されている。第２アンテナ８２に、バンド３とバンド７との間の周波数帯域を有するバンド１（第３バンド）の送信信号及び受信信号を通過させるデュプレクサ５４が接続されている。このように、デュプレクサ１４ａ、１４ｂ、５４のうちの送受信帯域が離れたデュプレクサ１４ａ、１４ｂがダイプレクサ１２に接続されている。このため、ダイプレクサ１２での損失を低減できる。このことを図３（ａ）及び図３（ｂ）を用いて説明する。
【００３２】
図３（ａ）及び図３（ｂ）は、ダイプレクサ１２での損失が低減する理由を説明するための図である。図３（ａ）及び図３（ｂ）の実線は、ダイプレクサ１２の周波数特性を示している。図３（ａ）のように、例えば、デュプレクサ１４ａ、１４ｂの送受信帯域が近い場合、デュプレクサ１４ａの送受信帯域８６とデュプレクサ１４ｂの送受信帯域８８とは、ＨＰＦ１２ａの周波数特性とＬＰＦ１２ｂの周波数特性とが交差する近傍に位置する。デュプレクサ１４ａの送受信帯域８６は、ＬＰＦ１２ｂの通過帯域となり、ＨＰＦ１２ａの抑圧帯域となる。デュプレクサ１４ｂの送受信帯域８８は、ＨＰＦ１２ａの通過帯域となり、ＬＰＦ１２ｂの抑圧帯域となる。しかしながら、デュプレクサ１４ａの送受信帯域８６とデュプレクサ１４ｂの送受信帯域８８とがＨＰＦ１２ａの周波数特性とＬＰＦ１２ｂの周波数特性との交差近傍に位置するため、デュプレクサ１４ａの送受信帯域８６におけるＨＰＦ１２ａの抑圧特性及び／又はデュプレクサ１４ｂの送受信帯域８８におけるＬＰＦ１２ｂの抑圧特性は十分ではない。十分な抑圧を得ようとすると、ＬＰＦ１２ｂでのデュプレクサ１４ａの送受信帯域８６の損失及び／又はＨＰＦ１２ａでのデュプレクサ１４ｂの送受信帯域８８の損失が大きくなる。一方、図３（ｂ）のように、デュプレクサ１４ａ、１４ｂの送受信帯域が離れている場合、デュプレクサ１４ａの送受信帯域８６におけるＨＰＦ１２ａの抑圧特性及びデュプレクサ１４ｂの送受信帯域８８におけるＬＰＦ１２ｂの抑圧特性を向上できる。このため、ＬＰＦ１２ｂでのデュプレクサ１４ａの送受信帯域８６の損失及びＨＰＦ１２ａでのデュプレクサ１４ｂの送受信帯域８８の損失を低減できる。
【００３３】
また、実施例１によれば、第１アンテナ８０にダイプレクサ１２を介してデュプレクサ１４ａとデュプレクサ１４ｂとが接続され、第２アンテナ８２にデュプレクサ５４が接続されているため、バンド１、バンド３、バンド７のうちの２つのバンドの信号を同時に送信及び受信できる。
【実施例２】
【００３４】
実施例２は、ＭＩＭＯ（Multi-Input Multi-Output）による受信が可能なモジュールの例である。図４は、実施例２に係るモジュール２００を含むシステム６００を示す図である。なお、図４では、ダイプレクサ及びデュプレクサに接続される配線を簡略化して図示している。
【００３５】
図４のように、第１送受信回路１０は、ダイプレクサ２４、スイッチ２６ａ、２６ｂ、位相器２８ａ、２８ｂ、ダイプレクサ１２、デュプレクサ１４ａ〜１４ｄ、受信フィルタ３０、ＰＡ２０ａ〜２０ｄ、及びＬＮＡ２２ａ〜２２ｅを含む。ダイプレクサ２４、スイッチ２６ａ、２６ｂ、位相器２８ａ、２８ｂ、ダイプレクサ１２、デュプレクサ１４ａ〜１４ｄ、及び受信フィルタ３０は、モジュール２００に搭載されている。ＰＡ２０ａ〜２０ｄ及びＬＮＡ２２ａ〜２２ｅは、集積回路８４に搭載されている。スイッチ２６ａ、ダイプレクサ１２、デュプレクサ１４ａ、１４ｂ、受信フィルタ３０、ＰＡ２０ａ、２０ｂ、及びＬＮＡ２２ａ〜２２ｃは、高周波数（ＨＢ：High Band）側のＨＢ送受信回路３２である。スイッチ２６ｂ、デュプレクサ１４ｃ、１４ｄ、ＰＡ２０ｃ、２０ｄ、及びＬＮＡ２２ｄ、２２ｅは、低周波数（ＬＢ：Low Band）側のＬＢ送受信回路３４である。
【００３６】
ダイプレクサ２４は、第１アンテナ８０に接続される共通端子Ｔ９と端子Ｔ１０との間に接続されたＨＰＦ２４ａと、共通端子Ｔ９と端子Ｔ１１との間に接続されたＬＰＦ２４ｂと、を備える。ダイプレクサ２４の回路構成及び周波数特性は、図２（ａ）及び図２（ｂ）と同じである。ＨＰＦ２４ａは、ＨＢ送受信回路３２が送信及び受信する周波数帯域のＨＢ信号を通過させ、ＬＢ送受信回路３４が送信及び受信する周波数帯域のＬＢ信号を抑圧する。ＬＰＦ２４ｂは、ＬＢ送受信回路３４が送信及び受信する周波数帯域のＬＢ信号を通過させ、ＨＢ送受信回路３２が送信及び受信する周波数帯域のＨＢ信号を抑圧する。携帯電話に用いられる周波数帯域において、１ＧＨｚ以下の周波数帯域がＬＢ帯域となり、１．７ＧＨｚ以上の周波数帯域がＨＢ帯域となる。
【００３７】
スイッチ２６ａは、ダイプレクサ２４の端子Ｔ１０に接続されていて、複数の端子Ｔ１２、Ｔ１３を備える。スイッチ２６ａは、複数の端子Ｔ１２、Ｔ１３の少なくとも一方を選択して第１アンテナ８０に接続する。スイッチ２６ｂは、ダイプレクサ２４の端子Ｔ１１に接続されていて、複数の端子Ｔ１４、Ｔ１５を備える。スイッチ２６ｂは、複数の端子Ｔ１４、Ｔ１５のいずれか一方を選択して第１アンテナ８０に接続する。
【００３８】
ダイプレクサ１２は、共通端子Ｔ４と端子Ｔ６との間に接続されたＨＰＦ１２ａと、共通端子Ｔ４と端子Ｔ５との間に接続されたＬＰＦ１２ｂとを備える。ダイプレクサ１２の共通端子Ｔ４は、位相器２８ａを介して、スイッチ２６ａの端子Ｔ１２に接続されている。
【００３９】
デュプレクサ１４ａ〜１４ｄは、それぞれ送信フィルタ１６ａ〜１６ｄ及び受信フィルタ１８ａ〜１８ｄを備える。送信フィルタ１６ａ〜１６ｄ及び受信フィルタ１８ａ〜１８ｄは、例えばＳＡＷフィルタなどのバンドパスフィルタである。送信フィルタ１６ａ〜１６ｄは、それぞれ共通端子Ｔ１ａ〜Ｔ１ｄと送信端子Ｔ２ａ〜Ｔ２ｄとの間に接続されている。受信フィルタ１８ａ〜１８ｄは、それぞれ共通端子Ｔ１ａ〜Ｔ１ｄと受信端子Ｔ３ａ〜Ｔ３ｄとの間に接続されている。デュプレクサ１４ａの共通端子Ｔ１ａは、ダイプレクサ１２の端子Ｔ５に接続され、デュプレクサ１４ｂの共通端子Ｔ１ｂは、ダイプレクサ１２の端子Ｔ６に接続されている。デュプレクサ１４ｃの共通端子Ｔ１ｃは、スイッチ２６ｂの端子Ｔ１４に接続され、デュプレクサ１４ｄの共通端子Ｔ１ｄは、スイッチ２６ｂの端子Ｔ１５に接続されている。
【００４０】
受信フィルタ３０は、例えばＳＡＷフィルタなどのバンドパスフィルタである。受信フィルタ３０の入力端子Ｔ７は、位相器２８ｂを介して、スイッチ２６ａの端子Ｔ１３に接続されている。
【００４１】
デュプレクサ１４ａ〜１４ｄの送信端子Ｔ２ａ〜Ｔ２ｄは、ＰＡ２０ａ〜２０ｄに接続されている。デュプレクサ１４ａ〜１４ｄの受信端子Ｔ３ａ〜Ｔ３ｄ及び受信フィルタ３０の出力端子Ｔ８は、ＬＮＡ２２ａ〜２２ｅに接続されている。
【００４２】
送信フィルタ１６ａ〜１６ｄは、ＰＡ２０ａ〜２０ｄで増幅された送信信号のうち送信帯域の信号を共通端子Ｔ１ａ〜Ｔ１ｄに通過させ、送信帯域以外の信号を抑圧する。受信フィルタ１８ａ〜１８ｄは、共通端子Ｔ１ａ〜Ｔ１ｄに出力された受信信号のうち受信帯域の信号を受信端子Ｔ３ａ〜Ｔ３ｄに通過させ、受信帯域以外の信号を抑圧する。受信フィルタ３０は、入力端子Ｔ７に出力された受信信号のうち受信帯域の信号を出力端子Ｔ８に通過させ、受信帯域以外の信号を抑圧する。ＬＮＡ２２ａ〜２２ｅは、受信フィルタ１８ａ〜１８ｄ、３０から出力された信号を増幅する。
【００４３】
デュプレクサ１４ａ〜１４ｄ及び受信フィルタ３０は、各通信系に対応する。例えば、デュプレクサ１４ａは、バンド３（送信帯域：１７１０ＭＨｚ〜１７８５ＭＨｚ、受信帯域：１８０５ＭＨｚ〜１８８０ＭＨｚ）の送信信号及び受信信号を通過させる。デュプレクサ１４ｂは、バンド７（送信帯域：２５００ＭＨｚ〜２５７０ＭＨｚ、受信帯域：２６２０ＭＨｚ〜２６９０ＭＨｚ）の送信信号及び受信信号を通過させる。デュプレクサ１４ｃは、バンド８（送信帯域：８８０ＭＨｚ〜９１５ＭＨｚ、受信帯域：９２５ＭＨｚ〜９６０ＭＨｚ）の送信信号及び受信信号を通過させる。デュプレクサ１４ｄは、バンド２０（送信帯域：８３２ＭＨｚ〜８６２ＭＨｚ、受信帯域：７９１ＭＨｚ〜８２１ＭＨｚ）の送信信号及び受信信号を通過させる。受信フィルタ３０は、バンド１の受信帯域（２１１０ＭＨｚ〜２１７０ＭＨｚ）の受信信号を通過させる。
【００４４】
このように、デュプレクサ１４ａ、１４ｂ及び受信フィルタ３０は、１．７ＧＨｚ以上の周波数帯域の信号を通過させ、デュプレクサ１４ｃ、１４ｄは、１ＧＨｚ以下の周波数帯域の信号を通過させる。また、デュプレクサ１４ｂは、デュプレクサ１４ａが通過させる送信信号及び受信信号よりも高い周波数帯域の送信信号及び受信信号を通過させる。したがって、ダイプレクサ１２を構成するＨＰＦ１２ａは、デュプレクサ１４ｂが通過させる送信信号及び受信信号を通過させ、デュプレクサ１４ａが通過させる送信信号及び受信信号を抑圧する。ＬＰＦ１２ｂは、デュプレクサ１４ａが通過させる送信信号及び受信信号を通過させ、デュプレクサ１４ｂが通過させる送信信号及び受信信号を抑圧する。
【００４５】
位相器２８ａは、スイッチ２６ａが端子Ｔ１２、Ｔ１３の両方を同時に選択して第１アンテナ８０に接続した場合に、受信フィルタ３０の受信帯域（バンド１の受信帯域）において、スイッチ２６ａから見てダイプレクサ１２、デュプレクサ１４ａ、１４ｂが開放されるようなインピーダンスを有する。位相器２８ｂは、スイッチ２６ａが端子Ｔ１２、Ｔ１３の両方を同時に選択して第１アンテナ８０に接続した場合に、デュプレクサ１４ａ、１４ｂの通過帯域（バンド３、７の送信帯域及び受信帯域）において、スイッチ２６ａから見て受信フィルタ３０が開放されるようなインピーダンスを有する。これにより、デュプレクサ１４ａ、１４ｂを通過する送信信号及び受信信号が受信フィルタ３０に漏れること、及び、受信フィルタ３０を通過する受信信号がデュプレクサ１４ａ、１４ｂに漏れることが抑制される。なお、スイッチ２６ｂは端子Ｔ１４、Ｔ１５の両方を同時に選択することがないため、スイッチ２６ｂ側には位相器を接続させていない。
【００４６】
図５（ａ）及び図５（ｂ）は、位相器２８ａ、２８ｂの回路構成の一例を示す図である。位相器２８ａ、２８ｂは、図５（ａ）のように、１つのキャパシタＣと２つのインダクタＬからなるπ型のＬＣＬ回路からなる場合でもよいし、図５（ｂ）のように、２つのキャパシタＣと１つのインダクタＬからなるＴ型のＣＬＣ回路からなる場合でもよい。
【００４７】
第２送受信回路５０は、ダイプレクサ６４、スイッチ６６ａ、６６ｂ、位相器６８ａ、６８ｂ、ダイプレクサ５２、デュプレクサ５４、受信フィルタ７０ａ〜７０ｄ、ＰＡ６０、ＬＮＡ６２ａ〜６２ｅを備える。ダイプレクサ６４、スイッチ６６ａ、６６ｂ、位相器６８ａ、６８ｂ、ダイプレクサ５２、デュプレクサ５４、及び受信フィルタ７０ａ〜７０ｄは、モジュール２００に搭載されている。ＰＡ６０及びＬＮＡ６２ａ〜６２ｅは、集積回路８４に搭載されている。スイッチ６６ａ、ダイプレクサ５２、デュプレクサ５４、受信フィルタ７０ａ、７０ｂ、ＰＡ６０、及びＬＮＡ６２ａ〜６２ｃは、高周波数側のＨＢ送受信回路７２である。スイッチ６６ｂ、受信フィルタ７０ｃ、７０ｄ、及びＬＮＡ６２ｄ、６２ｅは、低周波数側のＬＢ受信回路７４である。
【００４８】
ダイプレクサ６４は、第２アンテナ８２に接続される共通端子Ｔ２９と端子Ｔ３０との間に接続されたＨＰＦ６４ａと、共通端子Ｔ２９と端子Ｔ３１との間に接続されたＬＰＦ６４ｂと、を備える。ＨＰＦ６４ａ及びＬＰＦ６４ｂの回路構成及び周波数特性は、図２（ａ）及び図２（ｂ）と同じである。ＨＰＦ６４ａは、ＨＢ送受信回路７２が送信及び受信する周波数帯域のＨＢ信号を通過させ、ＬＢ受信回路７４が受信する周波数帯域のＬＢ信号を抑圧する。ＬＰＦ６４ｂは、ＬＢ受信回路７４が受信する周波数帯域のＬＢ信号を通過させ、ＨＢ送受信回路７２が送信及び受信する周波数帯域のＨＢ信号を抑圧する。
【００４９】
スイッチ６６ａは、ダイプレクサ６４の端子Ｔ３０に接続されていて、複数の端子Ｔ３２、Ｔ３３を備える。スイッチ６６ａは、複数の端子Ｔ３２、Ｔ３３の少なくとも一方を選択して第２アンテナ８２に接続する。スイッチ６６ｂは、ダイプレクサ６４の端子Ｔ３１に接続されていて、複数の端子Ｔ３４、Ｔ３５を備える。スイッチ６６ｂは、複数の端子Ｔ３４、Ｔ３５のいずれか一方を選択して第２アンテナ８２に接続する。
【００５０】
ダイプレクサ５２は、共通端子Ｔ２４と端子Ｔ２６との間に接続されたＨＰＦ５２ａと、共通端子Ｔ２４と端子Ｔ２５との間に接続されたＬＰＦ５２ｂと、を備える。ＨＰＦ５２ａ及びＬＰＦ５２ｂの回路構成及び周波数特性は、図２（ａ）及び図２（ｂ）と同じである。ダイプレクサ５２の共通端子Ｔ２４は、位相器６８ｂを介して、スイッチ６６ａの端子Ｔ３３に接続されている。
【００５１】
デュプレクサ５４は、共通端子Ｔ２１と送信端子Ｔ２２との間に接続された送信フィルタ５６と、共通端子Ｔ２１と受信端子Ｔ２３との間に接続された受信フィルタ５８と、を備える。送信フィルタ５６及び受信フィルタ５８は、例えばＳＡＷフィルタなどのバンドパスフィルタである。デュプレクサ５４の共通端子Ｔ２１は、位相器６８ａを介して、スイッチ６６ａの端子Ｔ３２に接続されている。
【００５２】
受信フィルタ７０ａ〜７０ｄは、例えばＳＡＷフィルタなどのバンドパスフィルタである。受信フィルタ７０ａの入力端子Ｔ２７ａは、ダイプレクサ５２の端子Ｔ２５に接続され、受信フィルタ７０ｂの入力端子Ｔ２７ｂは、ダイプレクサ５２の端子Ｔ２６に接続されている。受信フィルタ７０ｃの入力端子Ｔ２７ｃは、スイッチ６６ｂの端子Ｔ３４に接続され、受信フィルタ７０ｄの入力端子Ｔ２７ｄは、スイッチ６６ｂの端子Ｔ３５に接続されている。
【００５３】
デュプレクサ５４の送信端子Ｔ２２は、ＰＡ６０に接続されている。デュプレクサ５４の受信端子Ｔ２３及び受信フィルタ７０ａ〜７０ｄの出力端子Ｔ２８ａ〜Ｔ２８ｄは、ＬＮＡ６２ａ〜６２ｅに接続されている。
【００５４】
デュプレクサ５４及び受信フィルタ７０ａ〜７０ｄは、各通信系に対応する。例えば、デュプレクサ５４は、バンド１（送信帯域：１９２０ＭＨｚ〜１９８０ＭＨｚ、受信帯域：２１１０ＭＨｚ〜２１７０ＭＨｚ）の送信信号及び受信信号を通過させる。受信フィルタ７０ａは、バンド３の受信帯域（１８０５ＭＨｚ〜１８８０ＭＨｚ）の受信信号を通過させる。受信フィルタ７０ｂは、バンド７の受信帯域（２６２０ＭＨｚ〜２６９０ＭＨｚ）の受信信号を通過させる。受信フィルタ７０ｃは、バンド８の受信帯域（９２５ＭＨｚ〜９６０ＭＨｚ）の受信信号を通過させる。受信フィルタ７０ｄは、バンド２０の受信帯域（７９１ＭＨｚ〜８２１ＭＨｚ）の受信信号を通過させる。
【００５５】
このように、デュプレクサ５４及び受信フィルタ７０ａ、７０ｂは、１．７ＧＨｚ以上の周波数帯域の信号を通過させ、受信フィルタ７０ｃ、７０ｄは、１ＧＨｚ以下の周波数帯域の信号を通過させる。また、受信フィルタ７０ｂは、受信フィルタ７０ａが通過させる受信信号よりも高い周波数帯域の受信信号を通過させる。したがって、ダイプレクサ５２を構成するＨＰＦ５２ａは、受信フィルタ７０ｂが通過させる受信信号を通過させ、受信フィルタ７０ａが通過させる受信信号を抑圧する。ＬＰＦ５２ｂは、受信フィルタ７０ａが通過させる受信信号を通過させ、受信フィルタ７０ｂが通過させる受信信号を抑圧する。また、デュプレクサ５４は、デュプレクサ１４ａが通過させる送信信号及び受信信号の周波数帯域とデュプレクサ１４ｂが通過させる送信信号及び受信信号の周波数帯域との間の周波数帯域の送信信号及び受信信号を通過させる。
【００５６】
送信フィルタ５６は、ＰＡ６０で増幅された送信信号のうち送信帯域の信号を共通端子Ｔ２１に通過させ、送信帯域以外の信号を抑圧する。受信フィルタ５８は、共通端子Ｔ２１に出力された受信信号のうち受信帯域の信号を受信端子Ｔ２３に通過させ、受信帯域以外の信号を抑圧する。受信フィルタ７０ａ〜７０ｄは、入力端子Ｔ２７ａ〜Ｔ２７ｄに出力された受信信号のうち受信帯域の信号を出力端子Ｔ２８ａ〜Ｔ２８ｄに通過させ、受信帯域以外の信号を抑圧する。ＬＮＡ６２ａ〜６２ｅは、受信フィルタ５８、７０ａ〜７０ｄから出力された信号を増幅する。
【００５７】
位相器６８ａは、スイッチ６６ａが端子Ｔ３２、Ｔ３３の両方を同時に選択して第２アンテナ８２に接続した場合に、受信フィルタ７０ａ、７０ｂの受信帯域（バンド３、７の受信帯域）において、スイッチ６６ａから見てデュプレクサ５４が開放されるようなインピーダンスを有する。位相器６８ｂは、スイッチ６６ａが端子Ｔ３２、Ｔ３３の両方を同時に選択して第２アンテナ８２に接続した場合に、デュプレクサ５４の通過帯域（バンド１の送信帯域及び受信帯域）において、スイッチ６６ａから見てダイプレクサ５２及び受信フィルタ７０ａ、７０ｂが開放されるようなインピーダンスを有する。これにより、デュプレクサ５４を通過する送信信号及び受信信号が受信フィルタ７０ａ、７０ｂに漏れること、及び、受信フィルタ７０ａ、７０ｂを通過する受信信号がデュプレクサ５４に漏れることが抑制される。なお、スイッチ６６ｂは端子Ｔ３４、Ｔ３５を同時に選択することがないため、スイッチ６６ｂ側には位相器を接続させていない。位相器６８ａ、６８ｂの回路構成は、図５（ａ）及び図５（ｂ）と同じである。
【００５８】
ＨＢ送受信回路３２、７２によって、１又は複数の周波数帯域のＨＢ信号が同時に送信及び／又は受信される。このことを、表１及び表２を用いて説明する。なお、以下において、２つ周波数帯域のＨＢ信号を同時に送信及び／又は受信するモードをＣＡオンモードと称し、１つ周波数帯域のＨＢ信号のみを送信及び／又は受信するモードをＣＡオフモードと称すこととする。表１は、ＣＡオンモードにおけるスイッチ２６ａ、６６ａのスイッチ状態を示す表である。表２は、ＣＡオフモードにおけるスイッチ２６ａ、６６ａのスイッチ状態を示す表である。
【００５９】
まず、表１を用いて、バンド１、３、７のうちの２つのバンドのＨＢ信号が同時に送信及び／又は受信されるＣＡオンモードについて説明する。
【表１】
0006322174.tif 000002
【００６０】
表１のように、バンド１の信号の送信とバンド３の信号の送信又はバンド１の信号の受信とバンド３の信号の受信が同時に行われる場合、スイッチ２６ａは端子Ｔ１２、Ｔ１３の両方を選択して第１アンテナ８０に接続し、スイッチ６６ａは端子Ｔ３２、Ｔ３３の両方を選択して第２アンテナ８２に接続する。これにより、バンド３の送信信号はデュプレクサ１４ａの送信フィルタ１６ａを通過して第１アンテナ８０から送信され、バンド１の送信信号はデュプレクサ５４の送信フィルタ５６を通過して第２アンテナ８２から送信される。
【００６１】
バンド１、３の受信信号は、第１アンテナ８０及び第２アンテナ８２の両方で受信される。第１アンテナ８０で受信されたバンド１の受信信号は、受信フィルタ３０を通過してＬＮＡ２２ｃに出力され、第２アンテナ８２で受信されたバンド１の受信信号は、デュプレクサ５４の受信フィルタ５８を通過してＬＮＡ６２ａに出力される。第１アンテナ８０で受信されたバンド３の受信信号は、デュプレクサ１４ａの受信フィルタ１８ａを通過してＬＮＡ２２ａに出力され、第２アンテナ８２で受信されたバンド３の受信信号は、受信フィルタ７０ａを通過してＬＮＡ６２ｂに出力される。
【００６２】
同様に、バンド１の信号の送信とバンド７の信号の送信又はバンド１の信号の受信とバンド７の信号の受信が同時に行われる場合、スイッチ２６ａは端子Ｔ１２、Ｔ１３の両方を選択して第１アンテナ８０に接続し、スイッチ６６ａは端子Ｔ３２、Ｔ３３の両方を選択して第２アンテナ８２に接続する。これにより、バンド７の送信信号はデュプレクサ１４ｂの送信フィルタ１６ｂを通過して第１アンテナ８０から送信され、バンド１の送信信号はデュプレクサ５４の送信フィルタ５６を通過して第２アンテナ８２から送信される。第１アンテナ８０で受信されたバンド１の受信信号は、受信フィルタ３０を通過してＬＮＡ２２ｃに出力され、第２アンテナ８２で受信されたバンド１の受信信号は、デュプレクサ５４の受信フィルタ５８を通過してＬＮＡ６２ａに出力される。第１アンテナ８０が受信したバンド７の受信信号は、デュプレクサ１４ｂの受信フィルタ１８ｂを通過してＬＮＡ２２ｂに出力され、第２アンテナ８２で受信されたバンド７の受信信号は、受信フィルタ７０ｂを通過してＬＮＡ６２ｃに出力される。
【００６３】
一方、バンド３の信号の送信とバンド７の信号の送信又はバンド３の信号の受信とバンド７の信号の受信が同時に行われる場合、スイッチ２６ａは端子Ｔ１２を選択して第１アンテナ８０に接続し且つ端子Ｔ１３は選択せず、スイッチ６６ａは端子Ｔ３３を選択して第２アンテナ８２に接続し且つ端子Ｔ３２は選択しない。これにより、バンド３の送信信号はデュプレクサ１４ａの送信フィルタ１６ａを通過して第１アンテナ８０から送信され、バンド７の送信信号はデュプレクサ１４ｂの送信フィルタ１６ｂを通過して第１アンテナ８０から送信される。第１アンテナ８０で受信されたバンド３の受信信号は、デュプレクサ１４ａの受信フィルタ１８ａを通過してＬＮＡ２２ａに出力され、第１アンテナ８０で受信されたバンド７の受信信号は、デュプレクサ１４ｂの受信フィルタ１８ｂを通過してＬＮＡ２２ｂに出力される。第２アンテナ８２で受信されたバンド３の受信信号は、受信フィルタ７０ａを通過してＬＮＡ６２ｂに出力され、第２アンテナ８２で受信されたバンド７の受信信号は、受信フィルタ７０ｂを通過してＬＮＡ６２ｃに出力される。
【００６４】
次に、表２を用いて、バンド１、３、７のうちの１つのバンドのＨＢ信号のみが送信及び／又は受信されるＣＡオフモードについて説明する。
【表２】
0006322174.tif 000003
【００６５】
表２のように、バンド１、３、７のうちのバンド１の信号のみを送信及び／又は受信する場合、スイッチ２６ａは端子Ｔ１３を選択して第１アンテナ８０に接続し且つ端子Ｔ１２は選択せず、スイッチ６６ａは端子Ｔ３２を選択して第２アンテナ８２に接続し且つ端子Ｔ３３は選択しない。これにより、バンド１の送信信号はデュプレクサ５４の送信フィルタ５６を通過して第２アンテナ８２から送信される。バンド１の受信信号は、第１アンテナ８０及び第２アンテナ８２の両方で受信され、第１アンテナ８０で受信されたバンド１の受信信号は受信フィルタ３０を通過してＬＮＡ２２ｃに出力され、第２アンテナ８２で受信されたバンド１の受信信号はデュプレクサ５４の受信フィルタ５８を通過してＬＮＡ６２ａに出力される。
【００６６】
バンド１、３、７のうちのバンド３の信号のみを送信及び／又は受信する場合、スイッチ２６ａは端子Ｔ１２を選択して第１アンテナ８０に接続し且つ端子Ｔ１３は選択せず、スイッチ６６ａは端子Ｔ３３を選択して第２アンテナ８２に接続し且つ端子Ｔ３２は選択しない。これにより、バンド３の送信信号はデュプレクサ１４ａの送信フィルタ１６ａを通過して第１アンテナ８０から送信される。第１アンテナ８０で受信されたバンド３の受信信号は、デュプレクサ１４ａの受信フィルタ１８ａを通過してＬＮＡ２２ａに出力され、第２アンテナ８２で受信されたバンド３の受信信号は、受信フィルタ７０ａを通過してＬＮＡ６２ｂに出力される。
【００６７】
バンド１、３、７のうちのバンド７の信号のみを送信及び／又は受信する場合、スイッチ２６ａは端子Ｔ１２を選択して第１アンテナ８０に接続し且つ端子Ｔ１３は選択せず、スイッチ６６ａは端子Ｔ３３を選択して第２アンテナ８２に接続し且つ端子Ｔ３２は選択しない。これにより、バンド７の送信信号はデュプレクサ１４ｂの送信フィルタ１６ｂを通過して第１アンテナ８０から送信される。第１アンテナ８０で受信されたバンド７の受信信号はデュプレクサ１４ｂの受信フィルタ１８ｂを通過してＬＮＡ２２ｂに出力され、第２アンテナ８２で受信しれたバンド７の受信信号は受信フィルタ７０ｂを通過してＬＮＡ６２ｃに出力される。
【００６８】
実施例２によれば、図４のように、実施例１と同様、第１アンテナ８０にダイプレクサ１２を介してデュプレクサ１４ａとデュプレクサ１４ｂとが接続され、第２アンテナ８２にデュプレクサ５４が接続されている。これにより、ダイプレクサ１２での損失を低減でき、また、バンド１、バンド３、バンド７のうちの２つのバンドの信号を同時に送信及び受信できる。
【００６９】
また、実施例２によれば、端子Ｔ１２、Ｔ１３を備え、端子Ｔ１２、Ｔ１３の少なくとも一方を選択して第１アンテナ８０に接続するスイッチ２６ａと、端子Ｔ３２、Ｔ３３を備え、端子Ｔ３２、Ｔ３３の少なくとも一方を選択して第２アンテナ８２に接続するスイッチ６６ａと、を備える。バンド３対応のデュプレクサ１４ａとバンド７対応のデュプレクサ１４ｂとが接続するダイプレクサ１２の共通端子Ｔ４はスイッチ２６ａの端子Ｔ１２に接続され、バンド１対応の受信フィルタ３０はスイッチ２６ａの端子Ｔ１３に接続されている。バンド１対応のデュプレクサ５４の共通端子Ｔ２１はスイッチ６６ａの端子Ｔ３２に接続され、バンド３対応の受信フィルタ７０ａとバンド７対応の受信フィルタ７０ｂとが接続するダイプレクサ５２の共通端子Ｔ２４はスイッチ６６ａの端子Ｔ３３に接続されている。これにより、第１アンテナ８０及び第２アンテナ８２の２つのアンテナを用いてバンド１、３、７の信号の受信が可能となる。これにより、スループットの向上や通話品質の向上ができる。例えば、第１アンテナ８０及び第２アンテナ８２のうち電波状態の優れたアンテナからの受信信号を優先的に用いたり、第１アンテナ８０及び第２アンテナ８２からの受信信号を合成してノイズを除去したりすること（所謂ダイバーシティ）によって、通話品質を向上させることができる。
【００７０】
なお、実施例１及び実施例２では、デュプレクサ１４ａがバンド３に対応し、デュプレクサ１４ｂがバンド７に対応し、デュプレクサ５４がバンド１に対応する場合を例に示したがこれに限られない。デュプレクサ５４が対応するバンドの周波数帯域が、デュプレクサ１４ａが対応するバンドの周波数帯域とデュプレクサ１４ｂが対応するバンドの周波数帯域との間であれば、その他の場合でもよい。
【００７１】
なお、実施例１及び実施例２において、各フィルタは、弾性境界波フィルタ、ラブ波フィルタ、及び圧電薄膜共振器を用いたフィルタなどの弾性波フィルタの場合でもよいし、弾性波フィルタ以外のフィルタの場合でもよい。
【００７２】
以上、本発明の実施例について詳述したが、本発明はかかる特定の実施例に限定されるものではなく、特許請求の範囲に記載された本発明の要旨の範囲内において、種々の変形・変更が可能である。
【符号の説明】
【００７３】
１０  第１送受信回路
５０  第２送受信回路
１２、２４、５２、６４  ダイプレクサ
１２ａ、２４ａ、５２ａ、６４ａ  ハイパスフィルタ
１２ｂ、２４ｂ、５２ｂ、６４ｂ  ローパスフィルタ
２６ａ、２６ｂ、６６ａ、６６ｂ  スイッチ
２８ａ、２８ｂ、６８ａ、６８ｂ  位相器
１４ａ〜１４ｄ、５４  デュプレクサ
１６ａ〜１６ｄ、５６  送信フィルタ
１８ａ〜１８ｄ、３０、５６、７０ａ〜７０ｄ  受信フィルタ
２０ａ〜２０ｄ、６０  パワーアンプ
２２ａ〜２２ｅ、６２ａ〜６２ｅ  ローノイズアンプ
３２、７２  ＨＢ送受信回路
３４  ＬＢ送受信回路
７４  ＬＢ受信回路
８０  第１アンテナ
８２  第２アンテナ
８４  集積回路
Ｔ１〜Ｔ１５、Ｔ２１〜Ｔ３５  端子
１００、２００  モジュール
【図１】
0006322174.tif 000004
【図２】
0006322174.tif 000005
【図３】
0006322174.tif 000006
【図４】
0006322174.tif 000007
【図５】
0006322174.tif 000008